(57)【要約】【課題】この発明は、構成簡易にして、小型化の促進を図り得るようにすることにある。【解決手段】カートリッジ収容部１３の巻取りフォーク１４の配される底面と、該底面に対向するフィルムカートリッジ１５の底面の凹部１５１とで構成される領域に、カートリッジ収容部１３の底面より突出させた歯車収容部１３２を設けて、この歯車収容部１３２に巻取り歯車１８を配するように構成し、所期の目的を達成した。【選択図】　　図１
2004020937.tif 000002
【特許請求の範囲】
【請求項１】
カメラのフィルムカートリッジ室において、
装填収納されるフィルムカートリッジの回転軸と係合するフィルム巻取り用のフィルム巻取り軸が設けられたカートリッジ収容部の底面と、該底面に対向する上記フィルムカートリッジの端面部側との空間で、且つ径方向で上記フィルム巻取り軸外径と上記フィルムカートリッジの外径との間の領域に、上記底面より一体に突出して形成された突形状部を具備することを特徴とするカメラのフィルムカートリッジ室。
【請求項２】
上記突形状部は、装填された上記フィルムカートリッジの端面が上記カートリッジ収容部の底面に当接した状態のあるときに、該フィルムカートリッジの端面の形状と上記カートリッジ収容部の底面との間にできる非干渉空間部分に形成されることを特徴とする請求項１記載のカメラのフィルムカートリッジ室。
【請求項３】
上記突形状部は、上記フィルム巻取り軸と一体的に設けられた駆動歯車部を収納配置するために、上記フィルム巻取り軸の周囲に略同心円状に形成されていることを特徴とする請求項２記載のカメラのフィルムカートリッジ室。
【発明の詳細な説明】
【０００１】
【発明の属する技術分野】
この発明は、カメラに係り、特にそのフィルムカートリッジ（パトローネ）が装填されるフィルムカートリッジ室に関する。
【０００２】
【従来の技術】
この種のカメラのフィルムカートリッジ室には、例えば実願平２―２１０２５号（実用新案登録番号第２５４１２７６号）に開示されているようにフィルムが巻装されているフィルムカートリッジが着脱自在に装填される。
【０００３】
このようなフィルムカートリッジ室は、例えば図６に示すようにカートリッジ収容部１がカメラボデイ２に配される。このカメラボデイ２は、カメラ外装部材である前カバー３及び後カバー４内に収容配置される。そして、後カバー４には、後蓋４ａが上記カメラボデイ２のカートリッジ収容部１に対向して開閉自在に設けられる。
【０００４】
カートリッジ収容部１には、その下面側にフィルム巻取り軸を構成する巻取りフォーク５が突出して配される。この巻取りフォーク５は、樹脂材料でモールド成形され、その先端部にフォーク部５ａが設けられる。そして、このフォーク部５ａが上記カートリッジ収容部１に装填されたフィルムカートリッジ６の回転軸６ａの被係合部６ｂに対して一体回転可能に係合される。巻取りフォーク５には、その基端に巻取りケース７がばね部材８を介して軸方向に移動可能であって、かつ、一体回転可能に組み付けられる。
【０００５】
巻取りケース７は、モールド成形され、その基端に巻取り歯車７ａが一体的に設けられる。そして、この巻取り歯車７ａには、フィルム巻戻し時、図示しないフィルム巻取り機構を構成する歯車伝達機構に回転力伝達可能に連結される。これにより、巻取り歯車７ａは、上記歯車伝達機構（図示せず）を介して回転力が伝達されると、巻取りケース７及び巻取りフォーク５を一体回転させて図示しないスプールに巻取られたフィルムを上記フィルムカートリッジ６に巻戻す。
【０００６】
上記構成により、カートリッジ収容部１には、フィルムカートリッジ６が、その回転軸６ａの被係合部６ｂを巻取りフォーク５のフォーク部５ａに係合させて装填され、ここに、周知の写真撮影が所望のフィルム位置まで順に行われる。
【０００７】
そして、最終のフィルム位置までの写真撮影が完了されると、フィルム巻戻しモードとなり、巻取りケース７の巻取り歯車７ａには、上記歯車伝達機構（図示せず）により回転力が伝達されて回転駆動される。すると、巻取りフォーク５は、上述したように巻取りケース７及び巻取り歯車７ａを介して回転され、そのフォーク部５ａでフィルムのフィルムカートリッジ６への巻戻しを実行する。
【０００８】
なお、写真撮影時、フィルムカートリッジ６からスプールへの巻取り動作時には、上記巻取り歯車７ａは、いわゆるフリー状態となり、フィルムカートリッジ６からのフィルムの送り出しが可能に設定される。
【０００９】
ところが、上記カメラでは、カメラボデイ２のカートリッジ収容部１がフィルムカートリッジ６の形状に基づいて設定され、しかも、カートリッジ室１内に配される巻取りフォーク５を回転駆動するための巻取り歯車７ａの設けられる巻取りケース７の配置構成上、カートリッジ収容部１の底面と前カバー３の底面との間を比較的大きくとらないと、フィルム給送系を構成する歯車伝達機構（図示せず）を配することが困難なために、カメラ全体が大型となるという不具合を有する。
【００１０】
特に、この巻取り歯車７ａは、歯車列の最終段となり、トルクが大きくなるために、その強度上、厚形にしなけらばならないことで、フィルム巻取り軸方向が大型となり、小型化を図る際の重要な課題の一つとなっている。
【００１１】
係る事情は、最近のカメラの分野において、小型化の要請が強いことで重要な課題の一つとなっている。
【００１２】
【発明が解決しようとする課題】
以上述べたように、従来のカメラのフィルムカートリッジ室では、大型となり、小型化の要求を満足することが困難であるという不具合を有する。
【００１３】
この発明は上記の事情に鑑みてなされたもので、簡易な構成で、且つ、小型化の促進を図り得るようにしたカメラのフィルムカートリッジ室を提供することを目的とする。
【００１４】
【課題を解決するための手段】
この発明は、カメラのフィルムカートリッジ室において、装填収納されるフィルムカートリッジの回転軸と係合するフィルム巻取り用のフィルム巻取り軸が設けられたカートリッジ収容部の底面と、該底面に対向する上記フィルムカートリッジの端面部側との空間で、且つ径方向で上記フィルム巻取り軸外径と上記フィルムカートリッジの外径との間の領域に、上記底面より一体に突出して形成された突形状部を備えて構成した。
【００１５】
上記構成によれば、カートリッジ収容部のフィルム巻取り軸の配される底面と、該底面に対向するフィルムカートリッジの端面部側との空間で、且つ径方向でフィルム巻取り軸外径と上記フィルムカートリッジの外径との間の領域に、上記底面より突出して形成された突形状部を設けている。従って、カートリッジ収容部の底面より一体に突出して設けた突形状部にフィルム巻取り駆動系を含むカメラ構成部品を配することができることにより、高密度実装化の促進を図るすることが可能となり、カメラの小型化を図ることができる。
【００１６】
また、この発明は、上記突形状部を、装填された上記フィルムカートリッジの端面が上記カートリッジ収容部の底面に当接した状態のあるときに、該フィルムカートリッジの端面の形状と上記カートリッジ収容部の底面との間にできる非干渉空間部分に形成するように構成した。
【００１７】
上記構成によれば、カートリッジ収容部に存在するフィルムカートリッジとの非干渉空間部分を有効利用して、カメラ構成部品の実装が可能となる。従って、簡便にして容易な配置構成を実現したうえで、容易にカメラの小型化の促進を図ることが可能となる。
【００１８】
また、この発明は、上記突形状部を、上記フィルム巻取り軸と一体的に設けられた駆動歯車部を収納配置するために、上記フィルム巻取り軸の周囲に略同心円状に形成して構成した。
【００１９】
これによれば、突形状部を利用してフィルム巻取り軸を駆動する駆動歯車部を配置していることにより、駆動歯車部の配置スペースを十分に確保したうえで、カメラの小型化の促進を図ることが可能となる。
【００２０】
【発明の実施の形態】
以下、この発明の実施の形態について、図面を参照して詳細に説明する。
【００２１】
図１は、この発明の一実施の形態に係るカメラのフィルムカートリッジ室の概略配置を示すもので、カメラボデイ１０には、後面側中央にアパーチャと称する画面開口１１が、前面側略中央部の図示しない撮像レンズに対向して設けられる。そして、カメラボデイ１０の後面側には、スプール室１２及びカートリッジ収容部１３が画面開口１１を挟んで配設される。
【００２２】
これらスプール室１２及びカートリッジ収容部１３の下面には、スプール挿通孔１２１及び巻取りフォーク挿通孔１３１が設けられる。そして、このスプール室１２及びカートリッジ収容部１３には、そのスプール挿通孔１２１及び巻取りフォーク挿通孔１３１を通して図示しないフィルム巻取り用スプール及びフィルム巻取り軸を構成する巻戻し用巻取りフォーク１４が収容配置される。
【００２３】
このうち巻取りフォーク挿通孔１３１の内周部には、図２に示すようにカートリッジ収容部１３内に突出した突形状部である歯車収容部１３２が、フィルム巻取り軸（巻取りフォーク１４の回転軸）に略同心円状に設けられる。この歯車収容部１３２の突出形状寸法は、図３に示すようにフィルムカートリッジ１５に定められている一端面（底面側）の形状規格の最低条件のものにおいても、カートリッジ収容部１３の壁部である壁面との間に形成される非干渉空間部分となるフィルムカートリッジ１５の凹部１５１内に収まるように設定される。
【００２４】
例えばフィルムカートリッジ１５の形状規格としては、３５ｍｍ用ロールフィルムが巻装されるカートリッジ構造の場合、ＪＳ１３５フォーマット（ＡＮＳＩＰＨ１．１４―１９９０）に規定される。この規定においては、フィルムカートリッジ１５の一端面の凹部１５１の高さＨをＨ１〜Ｈ２で形成して、その直径ＤをＤ１〜Ｄ２に形成することが規定される。
【００２５】
そこで、上記歯車収容部１３２は、規格に適合する全てのフィルムカートリッジ１５の凹部１５１内に収まるように高さ寸法ＨをＨ＜Ｈ１、直径寸法ＤをＤ＜Ｄ１に設定して、規定の最低条件においても収まるように設定される。言い換えると、歯車収容部１３２は、カートリッジ収容部１３の底面と、該底面に対向するフィルムカートリッジ１５の凹部１５１との空間で、且つフィルムカートリッジ１５の径方向で巻取りフォーク１４の外径と上記フィルムカートリッジの外径との間の領域に突出して形成される。
【００２６】
上記巻取りフォーク１４は、例えば樹脂材料でモールド成形されて形成され、その先端部にフォーク部１４１が上記フィルムカートリッジ１５の回転軸１５２の被係合部１５３に対応して設けられる。そして、この巻取りフォーク１４の基端部には、係止爪１４２が設けられる。この巻取りフォーク１４は、例えば樹脂材料でモールド成形された有底筒状の巻取りケース１６にばね部材１７を介して矢印Ａ方向に付勢力が付与されて内装される（図４参照）。
【００２７】
この巻取りケース１６には、その内壁の先端近傍に係止部１６１が巻取りフォーク１４の係止爪１４２に対応して形成され、この係止部１６１に対向する底面に所定形状の透孔１６２が形成される。これにより、上記巻取りフォーク１４は、ばね部材１７の付勢力により、その係止爪１４２が巻取りケース１６の係止部１６１に係止された状態で、そのフォーク部１４１が巻取りケース１６からフィルムカートリッジ１５の回転軸１５２の被係合部１５３を挟持可能に突出される。
【００２８】
そして、この巻取りフォーク１４は、巻取りケース１６に対してばね部材１７の付勢力に抗して矢印Ａ方向と逆方向に押し込まれると、その係止爪１４２が巻取りケース１６の係止部１６１から離間されて巻取りケース１６内に収容される。これにより、巻取りフォーク１４のフォーク部１４１は、カートリッジ収容部１３に収容されたフィルムカートリッジ１５の被係合部１５３に対して一体回転可能に係合される。
【００２９】
また、上記巻取りケース１６には、その基端部に外周部に対向して平面部を有した略小判状のフランジ部１６３が設けられる。そして、このフランジ部１６３には、例えば金属板状部材で加工形成される歯車部材である巻取り歯車１８の中央部に設けられる略小判形状の嵌合孔１８１が嵌合されて該巻取り歯車１８が組付けられる（図５参照）。これにより、巻取りケース１６には、巻取り歯車１８が一体回転可能に組付けられ、該巻取り歯車１８が回転駆動されると、上記巻取りフォーク１４とともに一体的に回転駆動される。
【００３０】
このように巻取りフォーク１４及び巻取り歯車１８が一体的に組付け配置された巻取りケース１６は、その巻取りフォーク１４側にワッシャ部材１９が挿通され、該ワッシャ部材１９がフランジ部１６３及び巻取り歯車１８上に載置される。そして、巻取りケース１６は、その巻取りフォーク１４側よりカメラボデイ１０のカートリッジ収容部１３の巻取りフォーク挿通孔１３１より、そのワッシャ部材１９が、カートリッジ収容部１３の歯車収容部の壁面に当接するまで挿入される。ここで、巻取りケース１６の巻取り歯車１８及びワッシャ部材１９は、カートリッジ収容部１３の歯車収容部１３２内に配置される。
【００３１】
この当接状態において、巻取りケース１６の一端面（底面側）のカメラボデイ１０には、ジイタと称する取付板２０が図示しない螺子等を用いて取り付けられて上記巻取りフォーク１４及び巻取り歯車１８が一体的に配された巻取りケース１６が組付けられる。
【００３２】
この取付板２０には、歯口処理を施した挿通孔２０１が上記カートリッジ収容部１３の巻取りフォーク挿通孔１３１の周囲の歯車収容部１３２に対応して設けられる。これにより、取付板２０は、その挿通孔２０１の周囲部で、巻取りケース１６のフランジ部１６３及び巻取り歯車１８のスラスト方向を、上記ワッシャ部材１８と協働して回転自在に挟持して位置規制する。
【００３３】
また、カメラボデイ１０の下面には、所定の間隔に複数の回転軸１０１が立設される。これら回転軸１０１には、フィルム給送装置を構成する歯車伝達機構２１の歯車群２１１が、相互間が回転力伝達可能に噛合された状態で回転自在に支持される。これら歯車伝達機構２１の歯車群２１１は、それぞれが回転軸１０１に対して回転自在に組付けられた状態で、図５に示すようにスラスト方向が上記取付板２０により位置規制される。
【００３４】
上記カメラボデイ１０は、カメラ外装を構成する前カバー２２及び後カバー２３により覆われる。
【００３５】
このうち前カバー２２は、例えば金属材料で形成され、その所定部に樹脂材料製の前モールド２２１が一体的に組付けられる。そして、この前カバー２２の前面には、上記撮影レンズ（図示せず）を撮影可能に選択的に露出するバリア２４が開閉自在に組付けられる。
【００３６】
他方の後カバー２３には、後蓋２３１が上記カメラボデイ１０の画面開口１１、パトローネ１２室及びカートリッジ収容部１３を外光にさらす開位置及び外光を遮蔽する閉位置に開閉自在に組付けられる。
【００３７】
また、カメラボデイ１０のカートリッジ収容部１３には、所定の位置にＤＸ接点２５が配され（図２参照）、このＤＸ接点２５が装填されたフィルムカートリッジ１５の情報出力端に接続されて該フィルムカートリッジ１５の情報が取得可能に構成される。さらに、カートリッジ収容部１３には、その開口側にカートリッジ位置決め部１３３が設けられ（図２参照）、このカートリッジ位置決め部１３３により装填されたフィルムカートリッジ１５を、フィルムの安定した給送動作可能に位置規制する。
【００３８】
上記構成において、カートリッジ収容部１３には、フィルムカートリッジ１５が、その回転軸１５２の被係合部１５３を巻取りフォーク１４のフォーク部１４１に係合させて装填される（図３参照）。この際、フィルムカートリッジ１５は、その被係合部１５３の周囲の凹部１５１内に、カートリッジ収容部１３の歯車収容部１３２が位置規制するように装填される。
【００３９】
この装填状態において、フィルムカートリッジ１５のフィルムは、例えば写真撮影に応じてフィルム終端まで上記スプール室１２の上記フィルム巻取り用スプール（図示せず）に巻取られる。
【００４０】
そして、フィルム終端まで上記スプール室１２のフィルム巻取り用スプール（図示せず）にフィルムが巻取られると、フィルム巻戻しモードとなり、上記歯車伝達機構２１が選択的に駆動され、上記巻取り歯車１８が回転駆動される。すると、巻取りフォーク１４及び巻取りケース１６は、巻取り歯車１８と一体に回転され、そのフォーク部１４１でフィルムのフィルムカートリッジ１５への巻戻しが行われる。
【００４１】
ここで、フィルムの巻戻しが完了されたフィルムカートリッジ１５は、上記装填手順と逆の動作でカートリッジ収容部１３からの離脱が可能となる。
【００４２】
このように、上記カメラは、カートリッジ収容部１３の巻取りフォーク１４の配される底面と、該底面に対向するフィルムカートリッジ１５の底面の凹部１５１とで構成される領域に、カートリッジ収容部１３の底面より突出させた歯車収容部１３２を設けて、この歯車収容部１３２に巻取り歯車１８を配するように構成した。
【００４３】
これによれば、カートリッジ収容部１３の底面とフィルムカートリッジ１５との間に形成されるいわゆるデッドスペースを有効的に利用して巻取り歯車１８を配置していることにより、部品の高密度実装化が図れ、容易に小型化の促進を図ることができる。
【００４４】
なお、上記実施の形態では、歯車収容部１３２を巻取りフォーク１４の周囲に沿って略同心円状に配するように構成した場合で説明したが、この配置構成に限ることなく、その他、巻取りフォーク１４の周囲に略同心円状に分離して配置するように構成してもよい。
【００４５】
また、上記実施の形態では、カートリッジ収容部１３の底面に突形状部として歯車収容部１３２を配して巻取り歯車１８を収容配置するように構成した場合で説明したが、これに限ることなく、この突形状部に、その他のカメラ構成部品を配するように構成することも可能である。
【００４６】
さらに、上記実施の形態では、巻取りケース１６のフランジ部１６３及び巻取り歯車１８の嵌合孔１８１を略小判状に形成して一体回転可能に嵌合させるように構成した場合で説明したが、この小判形状に限ることなく、その他の形状に形成するようにして、一体回転可能に組付け配置するように構成することも可能である。
【００４７】
また、上記各実施の形態では、巻取りフォーク１４及び巻取りケース１６を樹脂材料で形成し、巻取り歯車１８を金属材料で加工形成するように構成した場合で説明したが、これに限ることなく、巻取りフォーク１４及び巻取りケース１６を金属材料で形成し、巻取り歯車１８を樹脂材料で形成したり、あるいは全てを金属材料で形成したり、あるいは全てを樹脂材料で形成するように構成することも可能である。
【００４８】
さらに、上記実施の形態では、巻取り歯車１８と巻取りケース１６とを別体に形成して一体回転可能に組付け配置するようにした駆動歯車部を形成するように構成した場合で説明したが、これに限ることなく、巻取り歯車１８と巻取りケース１６とを一体に加工形成する駆動歯車部においても適用可能である。
【００４９】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００５０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５１】
上述した実施の形態に基づいて
（１）カートリッジ収容部に突出して配されるフィルム巻取り軸が、３５ｍｍフィルムの巻装されるフィルムカートリッジの短ハブ側に巻取り自在に係合されるカメラのフィルムカートリッジ室において、
上記フィルムカートリッジをカートリッジ収容部のフィルム巻取り軸に係合させて装填した状態において、上記短ハブ側に対面する上記カートリッジ収容部の壁部になる壁面に、該壁面に対向する上記フィルムカートリッジの短ハブ側の端面側部との空間で、且つ径方向で上記フィルム巻取り軸と上記フィルムカートリッジの外径の間の領域内に、上記壁面より一体に突出して形成された突形状部を具備することを特徴とするカメラのフィルムカートリッジ室を提供することができる。
【００５２】
（２）上記（１）記述のフィルムカートリッジの短ハブ側の端面側部は、上記カートリッジ収容部の壁部になる壁面に当接するように装填されていて、上記突形状部は、上記フィルムカートリッジの短ハブ側の端面側部と上記カートリッジ収容部の壁部になる壁面との間にある非干渉空間部分に形成されることを特徴とするカメラのフィルムカートリッジ室を提供することができる。
【００５３】
（３）上記（２）記述の突形状部は、上記フィルム巻取り軸の周囲に形成されることを特徴とするカメラのフィルムカートリッジ室を提供することができる。
【００５４】
（４）上記（１）記述の突形状部は、装填された上記フィルムカートリッジの端面が上記カートリッジ収容部の底面に当接した状態で、該フィルムカートリッジの端面の凹部に収容されて配置されることを特徴とするカメラのフィルムカートリッジ室を提供することができる。
【００５５】
（５）上記（４）記述の突形状部は、上記フィルム巻取り軸の周囲に同心円状に設けられ、上記フィルム巻取り軸と一体的に駆動歯車部が収納配置されることを特徴とするカメラのフィルムカートリッジ室を提供することができる。
【００５６】
【発明の効果】
以上詳述したように、この発明によれば、簡易な構成で、且つ、小型化の促進を図り得るようにしたカメラのフィルムカートリッジ室を提供することができる。
【図面の簡単な説明】
【図１】この発明の一実施の形態に係るカメラのフィルムカートリッジ室の配置構成を示した分解斜視図である。
【図２】図１の組立て状態におけるカートリッジ収容部の一部を拡大して示した斜視図である。
【図３】図１のカメラボデイに前カバー、後カバー及びバリアを組付けた状態におけるカートリッジ収容部の一部を断面して示した断面図である。
【図４】図１のカメラボデイに前カバー、後カバー及びバリアを組付けた状態におけるカートリッジ収容部の巻取り歯車と歯車伝達機構の歯車群との配置関係を示した断面図である。
【図５】図１の巻取りフォークと巻取りケースとの配置構成を示した斜視図である。
【図６】従来のカメラのカートリッジ室の問題点を説明するためにカートリッジ収容部の一部を断面して示した断面図である。
【符号の説明】
１０　…　カメラボデイ
１０１　…　回転軸
１１　…　画面開口
１２　…　スプール室
１２１　…　スプール挿通孔
１３　…　カートリッジ収容部
１３１　…　巻取りフォーク挿通孔
１３２　…　歯車収容部
１３３　…　カートリッジ位置決め部
１４　…　巻取りフォーク
１４１　…　フォーク部
１４２　…　係止爪
１５　…　フィルムカートリッジ
１５１　…　凹部
１５２　…　回転軸
１５３　…　被係合部
１６　…　巻取りケース
１６１　…　係止部
１６２　…　透孔
１６３　…　フランジ部
１７　…　ばね部材
１８　…　巻取り歯車
１８１　…　嵌合孔
１９　…　ワッシャ部材
２０　…　取付板
２１　…　歯車伝達機構
２１１　…　歯車群
２２　…　前カバー
２２１　…　前モールド
２３　…　後カバー
２３１　…　後蓋
２４　…　バリア
２５　…　ＤＸ接点
【図１】
2004020937.tif 000003
【図２】
2004020937.tif 000004
【図３】
2004020937.tif 000005
【図４】
2004020937.tif 000006
【図５】
2004020937.tif 000007
【図６】
2004020937.tif 000008